(57)【特許請求の範囲】
【請求項１】
前面に遊技領域(19)を画成した遊技盤(J)の裏側に取着され、該遊技領域(19)内に設置された各入賞口(20,26,28)に入って裏側へ通出されたセーフ球を、機内のセーフ球処理装置に向けて通出案内するセーフ球案内部材(46)と、
前記遊技領域(19)に臨む球入球口(37)と球通出口(40)を有する遊技部品(21)に対し、これら球入球口(37)と球通出口(40)とを連通接続した状態で遊技盤(J)の裏側から取着され、前記球入球口(37)へ入った遊技球を球通出口(40)へ向けて通出案内する遊技球案内部材(45)とを有し、
前記セーフ球案内部材(46)の所要位置に、前記遊技球案内部材(45)の外側面(63)に整合する内側面(75)を形成し、この内側面(75)を前記遊技部品(21)に取着した前記遊技球案内部材(45)の前記外側面(63)に整合させることで、前記遊技盤(J)の裏面に対する該セーフ球案内部材(46)の位置決めがなされるよう構成した
ことを特徴とするパチンコ遊技機の球案内部材。
【請求項２】
前記セーフ球案内部材(46)の所定位置に前記遊技球案内部材(45)の外面に係止する係止部(76)を設け、これにより当該セーフ球案内部材(46)を遊技盤(J)の裏面に取着した際に、遊技部品(21)に対する遊技球案内部材(45)の固定保持がなされる請求項１記載のパチンコ遊技機の球案内部材。
【発明の詳細な説明】
【０００１】
【発明の属する技術分野】
この発明は、パチンコ遊技機の球案内部材に関し、更に詳細には、遊技盤に構成された遊技領域内でパチンコゲームを展開し得るパチンコ遊技機において、前記遊技盤の裏側に配設されて前記遊技領域に配設された入賞器具に入ったセーフ球をセーフ球処理装置へ通出案内するセーフ球案内部材と、前記遊技領域の所要位置に装着された遊技部品に関する遊技球の通出案内を図る遊技球案内部材とから構成される球案内部材に関するものである。
【０００２】
【従来の技術】
遊技盤の遊技領域内でパチンコゲームを展開し得るパチンコ遊技機にあっては、設定されたゲーム内容による型式に基づき、図柄組合わせ入賞開放ゲームを展開し得る第１種パチンコ機、役物開閉ゲームを展開し得る第２種パチンコ機、権利発生ゲームを展開し得る第３種パチンコ機とに呼称区分されている。このような型式に区分される何れのタイプのパチンコ機にあっても、前記遊技盤に必要な遊技部品として、各種の入賞器具および入賞装置、遊技領域中央に設置される遊技部品および該遊技部品の透視窓部の裏側に設置される図柄表示装置等、電飾具や装飾具等が該遊技盤の前面側に配設される一方、球寄せカバーまたは球案内樋とも呼ばれてセーフ球の案内通路が画成された適宜形状,サイズのセーフ球案内部材が遊技盤の裏面側に取着されている。そして、遊技盤の前面側でのパチンコゲームにおいて、各々の入賞器具や入賞装置に入って遊技盤裏側へ通出されるセーフ球は、遊技盤の裏側へ通出された後に、前記セーフ球案内部材により機構セット盤に設置したセーフ球処理部に排出されるようになっている。
【０００３】
また、前述した何れのタイプのパチンコ機にあっても、設定された夫々の特別遊技を含むゲーム内容においては、前記遊技部品の真下に設けられた特定の始動入賞口に対する遊技球の入賞条件、つまり始動入賞条件が何よりも重要な事項の一つとされている。それだけにこの始動入賞条件を、所定のゲーム時間単位や特別遊技成立中において、適正な割合で発生するように設定することが肝要とされ、このための様々な工夫がなされている。例えば、前記始動入賞口に対する遊技球の入球確率を高めるようにする技術として、前記遊技部品の縦央上部等に天入球口を設けると共に該遊技部品の側壁部に球通出口を設け、遊技盤の裏面側にこれら天入球口と球通出口とを連通接続する遊技球案内通路を設けることで、遊技領域の上方から流下して前記天入球口に入った遊技球を遊技球案内通路を介して前記球通出口から通出するようにし、当該遊技部品の前面を転動落下させて前記始動入賞口の近傍へ流出させる構造等が実施されている。すなわち、遊技部品の天入球口へ入った遊技球は、遊技盤の裏面側へ一旦通出された後、前記遊技球案内通路および球通出口を介して該遊技部品の前面へ通出され(所謂「ワープ」し)、再び遊技盤の前面側を流下するようになっている。
【０００４】
【発明が解決しようとする課題】
ところで従来のパチンコ機では、前記遊技部品の天入球口に入った遊技球を球通出口へ通出案内する前記遊技球案内通路が、前記セーフ球案内部材の一部に画成されていた。すなわち、遊技盤の裏面側に所定の向きで前記セーフ球案内部材を配設固定することにより、前記遊技球案内通路の上流開口側が前記天入球口の裏側に整合すると共に、該遊技球案内通路の下流開口側が前記球通出口に整合するようになっている。このため、遊技盤に対する球排出部材の取付け位置に微妙な誤差があった場合には、天入球口から球通出口への遊技球のスムーズな通出案内が不可能となるため、遊技盤に対するセーフ球案内部材の位置決め用のガイドやピン等を遊技盤の裏面に特別に設ける必要があり、部品点数の増加や組立工数の増加によるコストアップを招来する問題を内在していた。なお、遊技部品の裏側に遊技球案内部材を一体的に形成したタイプもあるが、このタイプにおいても、セーフ球案内部材の位置決め用のガイドやピン等を遊技盤の裏面に設ける必要があるので、同じくコストアップを招来する問題を内在していた。
【０００５】
また近年に至っては、環境問題や省資源問題およびコストダウン等の観点から、実施に供されていたパチンコ遊技機の構成部品を可能な限りリサイクルすることが希求されつつある。このため前記遊技盤においては、ベニヤ板や前記セーフ球案内部材等は従来実施のものを流用し、前記遊技部品および図柄表示装置等を新型ユニットに交換することで、全く新しいデザインおよび遊技形態の遊技盤に変更する工夫がなされている。しかるに、新型の遊技部品における天入球口および球通出口が、旧型の遊技部品における天入球口および球通出口と異なる位置に設定されている場合には、これに対応して前記遊技球案内通路の形状を変更しなければならない。すなわち、該遊技球案内通路がセーフ球案内部材に一体的に画成されているので、該セーフ球案内部材全体を新たに設計し直して成形することになり、結果的にコストダウンの効果を大きく阻害するものとなっていた。
【０００６】
【発明の目的】
本発明は、前述した従来の技術に内在している前記課題に鑑み、これを好適に解決するべく提案されたものであって、遊技球案内通路を画成した遊技球案内部材とセーフ球案内通路を画成したセーフ球案内部材とを別体部材として形成することで、遊技部品の取替えに際しては遊技球案内部材のみの変更で対応し得るようにしてコストダウンを図る一方、遊技盤に対するセーフ球案内部材の組付けの容易化および合理化を図ったパチンコ遊技機の球案内部材を提供することを目的とする。
【０００７】
【課題を解決するための手段】
前記課題を克服し、所期の目的を好適に達成するため、本発明に係るパチンコ遊技機の球案内部材は、
前面に遊技領域を画成した遊技盤の裏側に取着され、該遊技領域内に設置された各入賞口に入って裏側へ通出されたセーフ球を、機内のセーフ球処理装置に向けて通出案内するセーフ球案内部材と、
前記遊技領域に臨む球入球口と球通出口を有する遊技部品に対し、これら球入球口と球通出口とを連通接続した状態で遊技盤の裏側から取着され、前記球入球口へ入った遊技球を球通出口へ向けて通出案内する遊技球案内部材とを有し、
前記セーフ球案内部材の所要位置に、前記遊技球案内部材の外側面に整合する内側面を形成し、この内側面を前記遊技部品に取着した前記遊技球案内部材の前記外側面に整合させることで、前記遊技盤の裏面に対する該セーフ球案内部材の位置決めがなされるよう構成したことを特徴とする。
【０００８】
【作用】
球案内部材を構成する遊技球案内部材とセーフ球案内部材は、夫々別体として成形される。そして、遊技盤に取着された遊技部品に対して遊技球案内部材を取着したもとで、該遊技球案内部材に前記セーフ球案内部材を整合させることで、遊技盤の裏面に対する該セーフ球案内部材の位置決めが簡単かつ容易になされる。また、遊技盤のリサイクル等により、前記遊技部品を新型の遊技部品に変更するに際し、該新型遊技部品の遊技球の通出形態が異なる場合には、前記遊技球案内部材のみを変更し、セーフ球案内部材はそのまま流用し得る。
【０００９】
【発明の実施の形態】
次に、本発明に係るパチンコ遊技機の球案内部材につき、好適な実施例を挙げて添付図面を参照しながら、以下詳細に説明する。なお本実施例では、一般に「第１種パチンコ機」とも称されている型式、つまり始動入賞条件毎に図柄表示装置(センター役物)の図柄が変動停止表示されて、図柄同士の組合わせ(大当たりともいう)の成立時に、大型電動式の入賞装置が設定開放パターンで作動される特別遊技を現出し得るタイプのパチンコ機を主に例示する。
【００１０】
(パチンコ機)
そこで、先ず本実施例の球案内部材Ｌが実施されるパチンコ機について、図１を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分に、横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび裏側にセットされた電動式の球送り装置Ｇと、下段に位置する下球皿Ｆおよび打球発射装置Ｈと、裏側に位置する機構セット盤(図示せず)等が夫々装備されている一方、前枠Ｂ裏側の収容枠体の正面内部に所要の遊技領域１９を構成した遊技盤Ｊが着脱交換可能にセットされている。
【００１１】
(前枠)
前記前枠Ｂは、全体が合成樹脂成形されたものを例とし、基本的には枠口の前面側に窓枠Ｃ用の設置凹部を設けた枠体１０と、この枠体１０の開口域裏側に位置して遊技盤Ｊ用のセット面域および取着部を形成した収容枠体(図示せず)と、この収容枠体下部に位置して遊技盤Ｊと整合される遊技補助盤１２とが一体に成形されている。そして、枠体１０の上縁から前面右縁にかけてランプ表示部１３等が装備される一方、遊技補助盤１２の前面左右にスピーカ１４と発射レール１５が夫々配設される。
【００１２】
(遊技盤)
前記遊技盤Ｊは、図２に示すように、略円形状に湾曲形成したレール１８により囲まれた遊技領域１９の前側において、縦央やや下部に配設されてセーフ球をスイッチで検出し得る始動入賞口２０と、この始動入賞口２０の直上方に配置されて図柄透視並びに遊技球案内をなす後述の遊技部品２１と、風車とも称されて遊技球用の流下方向を任意に変向する電飾案内車２２および普通案内車２３と、始動入賞口２０の直下方に設置された前記大型電動式の入賞装置２４と、遊技状態に応じて照射パターンが変更制御される電飾装置２５等を備えている。また遊技盤Ｊの裏側には、図３に示すように、遊技球案内部材４５およびセーフ球案内部材４６からなる本実施例の球案内部材Ｌが取着されていると共に、前記遊技部品２１の透視窓部３１の裏側に合わせて液晶式の図柄表示装置Ｋが装備セットされる(図４参照)。なお前記普通案内車２３は、前記遊技部品２１の前面に配設されている。また、図２中の符号２９はアウト口を示す。
【００１３】
なお前記始動入賞口２０は、開口領域を拡開変形可能な可変式のものが例とされ、図２では開口領域を拡開して遊技球の入球確率を高めた状態を示している。また前記入賞装置２４は、一般にアタッカー式の特別電動役物とも呼ばれているもので、その基本的な構成として、特別入賞口２６に対設された扉状の開閉板２７が、裏側の電磁ソレノイドおよび開閉機構を利用して設定開放パターンに基づいて開閉し得るようになっていると共に、左右に普通入賞口２８が設けられている。更に、特別入賞口２６の裏側内部にセーフ球用のカウントスイッチと、開放作動継続用の特別スイッチ(Ｖスイッチ)が組み込まれている。
【００１４】
(遊技部品)
遊技盤Ｊの中央に設置される大型の前記遊技部品２１は、その基本的な構成として、図柄透視部と電光装飾表示部および遊技球案内部等を一つに備えて、夫々の構成部に係る機能・役割を好適に図り得るようにしたものである。図柄表示部は、遊技盤Ｊの前面側に取着セットされる本体３０をベースにして、この本体３０の中央内部において前端面から後方へ延在する矩形筒状の透視窓部３１と、該透視窓部３１の後方開口部に取着整合された透明合成樹脂成形製の透視板３２とを主体に構成される。なお透視板３２は、表示補助手段としての図柄用の透視窓枠や入賞ライン(何れも図示せず)等の表示補助手段が、予め極薄フィルムに印刷されたものとして、該透視板３２のインモールド成形時に熱圧接着される。また電光装飾表示部は、適宜キャラクターデザイン等が採用されて本体３０の前側上部で左右に延在する光拡散用レンズ兼用のランプカバー３３と、このカバー３３の内側に装着される基板に配置されて遊技状態の視覚的効果を高めるためのランプ類(何れも図示せず)とを主体に構成されている。更に遊技球案内部は、本体３０の前面左右両側に形成された遊技球用の受け口３４,３４と、前記透視窓部３１の後側下部に成形された球受け部３５と、球受け部３５の前側中央に形成された円盤状の球放出口３６とを主体に構成してある。
【００１５】
本実施例に係るパチンコ遊技機の球案内部材Ｌは、遊技盤Ｊの裏面側に配設されるもので、前述すると共に図３に示すように、前記遊技部品２１に関する遊技球の通出案内を図る遊技球案内部材４５と、前記始動入賞口２０,入賞装置２４の特別入賞口２６および普通入賞口２８に入ったセーフ球を機構セット盤に配設されたセーフ球処理装置へ通出案内するセーフ球案内部材４６とから構成されている。そこで次に、これら遊技球案内部材４５およびセーフ球案内部材４６につき説明する。
【００１６】
(遊技球案内部材)
前記遊技部品２１における本体３０の縦央上端部には、球受け口３８,３８,３８および送出口３９を有する天入球口３７が成形され(図６参照)、また透視窓部３１における正面から視て左側壁面には、左側の球受け部３５に臨む球通出口４０が開口形成されており、前記遊技球案内部材４５は、該本体３０の裏側において、前記天入球口３７における送出口３９の裏側と前記球通出口４０の裏側とを連通接続するように取着されている。この遊技球案内部材４５は、図４および図５に示すように、遊技盤Ｊに開口した装着孔１７を介して前面側から該遊技盤Ｊに取着した前記遊技部品２１に対して遊技盤Ｊの裏側から装着されるもので、前記天入球口３７における各球受け口３８,３８,３８の何れかに受け止められた遊技球は、送出口３９から遊技球案内部材４５へ通出された後に前記球通出口４０へ案内され、該球通出口４０から前記球受け部３５へ通出されるようになっている。なお遊技部品２１の本体前面には、前記天入球口３７に対応した部位に「ＩＮ」が表示され、また前記球通出口４０に対応した部位に「ＯＵＴ」が表示され、遊技者が遊技部品２１における遊技球の通入出態様を容易に理解し得るようになっている(図２参照)。
【００１７】
前記遊技球案内部材４５は、図６および図７を基に詳細に説明すると、上方水平部４７と側方垂直部４８と下方水平部４９とからなる正面略コ字形の樋状部材であって、横断面コ字形の本体部５０における前側開口部に蓋部材５１をビス等で組付けることで内部に球送出路５２が画成されている。従って、球送出路５２が中空状に画成されているため、前記装着孔１７が遊技球案内部材４５と前後に重なったとしても、遊技球の円滑な通出案内を行ない得るようになっている。そして、前記上方水平部４７の端部で前方へ開口形成された球流入口５３が、前記天入球口３７における送出口３９の裏側に整合し、前記下方水平部４９の端部で側方へ開口形成された球流出口５４が、前記透視窓部３１における球通出口４０の側方に整合するようになっている。また、上方水平部４７における先端の内側隅角部には、端部を凹形曲面に形成した複数の案内片５５が上下に配設されており、天入球口３７の送出口３９から後方へ通出されて球流入口５３へ臨んだ遊技球を、遊技球案内部材４５の上方水平部４７内へスムーズに屈折案内するよう構成してある。更に前記側方垂直部４８の内部には、壁面から突出した緩衝片５６が上下千鳥状に形成されており、該側方垂直部４８内を落下する遊技球の勢いを適宜減勢させ得るようになっている。一方、側方垂直部４８の下端部には、球通出口４０から離間する内側面に、下方水平部４９側へ突出した段部５７が形成されており、側方垂直部４８から下方水平部４９方向への遊技球のスムーズな通出案内を図るよう構成
される。
【００１８】
(遊技球案内部材の取着形態)
前述のように構成された遊技球案内部材４５は、前記遊技部品２１の本体３０裏側に対して簡単かつ容易に位置決めして組付け得るようになっている。すなわち、遊技部品２１の本体３０の裏面には、図５に示すように、前記透視窓部３１の上方隅角部近傍に後方へ突出したガイドピン４１が一体的に形成され、また該透視窓部３１の下方隅角部近傍に嵌合孔４２を有するボスが一体的に形成されている。これに対し前記遊技球案内部材４５では、上方水平部４７と側方垂直部４８との連設部位の内側隅角部に、前記ガイドピン４１が嵌入する嵌合孔５８を有するボスが一体的に形成され、また下方水平部４９の球流出口５４近傍に、前記嵌合孔４２に嵌入するガイドピン５９が一体的に突出形成されている。これにより遊技球案内部材４５は、前記嵌合孔５８とガイドピン４１および前記ガイドピン５９と嵌合孔４２との夫々の嵌合下に遊技部品２１の裏側に簡単に位置決めされつつ取着され、これにより球流入口５３が天入球口３７の送出口３９の裏側に自動的に整合すると共に、球流出口５４が前記球通出口４０に自動的に整合するに至る。なお遊技球案内部材４５は、遊技部品２１の本体３０に取着した状態においては、図４に示すように、前記透視板３２よりも後方へ突出しないようになっており、図柄表示装置Ｋの設置に支障を来たさないよう配慮されている。
【００１９】
また、遊技球案内部材４５の下方水平部４９における下側には、ビス挿通孔６１を形成した取着片６０が一体的に成形されており、所定のビスを該ビス挿通孔６１を介して遊技盤Ｊの裏面へ締付け得るようになっている。これにより遊技球案内部材４５は、厚み寸法に±０.５ｍｍ程度の寸法誤差を有するベニア製の前記遊技盤Ｊに対し、常に適切な姿勢で安定的に固定される。更に、上方水平部４７の先端側方には、前記セーフ球案内部材４６によって押圧される固定受片６２が一体成形されている。
【００２０】
(セーフ球案内部材)
前記セーフ球案内部材４６は、該遊技盤Ｊの遊技領域１９内で発生したセーフ球の好適な排出案内を図るもので、セーフ球の排出処理用の排出カバー部６５と、図柄表示装置Ｋが着脱可能に組付けられるセット台部６６とを合わせて合成樹脂成形された１つのカバーセット部材に構成されている。すなわちセーフ球案内部材４６は、遊技盤Ｊの主要部裏面に対応し得る方形枠サイズに成形された本体６７において、前記図柄表示装置Ｋと干渉しない方形開口広さの窓口６８が成形されており、この窓口６８に沿った左側,右側および下側にセーフ球の通路を画成した樋部６９,７０,７１が形成されている。また、背面から視て左側の樋部６９の背面(外面)に中継基板用の設置部７２が成形されていると共に、本体６７の各部に配線処理用の挿通保持部７３や保持片７４が形成されている。
【００２１】
このように構成された本実施例の球案内部材Ｌは、遊技部品２１に取着した前記遊技球案内部材４５を利用することで、遊技盤Ｊの裏面に対する前記セーフ球案内部材４６の容易な位置決めが可能に構成される。すなわちセーフ球案内部材４６の本体６７において、上部右側から右側の樋部７０に亘って窓口６８に臨んだ内側面７５は、図３に示すように、前記遊技球案内部材４５における上方水平部４７および側方垂直部４８の外側面６３と同一形状に形成されており、セーフ球案内部材４６はこの内側面７５を外側面６３に密着させることで遊技盤Ｊの裏面に適切に位置決めされる。従って本実施例の遊技盤Ｊでは、裏面にセーフ球案内部材４６を位置決めするためのガイドピンやボス等を別途設ける必要がない。なお、遊技盤Ｊの裏面に位置決めされたセーフ球案内部材４６は、所定のビス等を利用して該遊技盤Ｊに固定される。
【００２２】
また、セーフ球案内部材４６における右側の樋部７０の内側面７５には、窓口６８の内方へ突出した係止片７６が一体成形されており、該セーフ球案内部材４６を遊技盤Ｊの裏面に取着した際には、該係止片７６が遊技球案内部材４５の前記取着片６０を押圧するようになる。また、セーフ球案内部材４６における前記内側面７５の上側端部に隣接した部位が、遊技球案内部材４５の前記固定受片６２を押圧するようになる。従って遊技球案内部材４５は、遊技盤Ｊの裏面に取着されたセーフ球案内部材４６により、がたつくことなく遊技部品２１に固定保持される。すなわち、遊技球案内部材４５の固定受片６２を押圧するセーフ球案内部材４６における内側面７５の上側端部に隣接した部位が、係止部として機能する。
【００２３】
【実施例の作用】
次に、前述のように構成された本実施例のパチンコ遊技機の球案内部材の作用として、実施の形態,取扱い,設置(組付け)および球通出案内等の状態につき説明する。
【００２４】
(遊技球案内部材の組付け)
ルーター加工により装着孔１７を開口した遊技盤Ｊに対し、前面側から遊技部品２１をセットしてビス着した前提において、図８に示すように、該遊技盤Ｊの裏面側から遊技部品２１における本体３０の裏側に本実施例の球案内部材Ｌにおける遊技球案内部材４５をセットする。すなわち、遊技部品２１におけるガイドピン４１を遊技球案内部材４５の嵌合孔５８に嵌入させると共に、該遊技球案内部材４５のガイドピン５９を遊技部品２１の嵌合孔４２へ嵌入させることで、当該遊技球案内部材４５は遊技部品２１の裏側に仮に組付けセットされる(図５参照)。
【００２５】
(セーフ球案内部材の組付けについて)
遊技部品２１に対する遊技球案内部材４５の組付けセットが完了したら、前記セーフ球案内部材４６を遊技盤Ｊの裏面に組付ける。この際に、遊技球案内部材４５の外側面６３にセーフ球案内部材４６の内側面７５を整合密着させれば、遊技盤Ｊに対する該セーフ球案内部材４６の位置決めが完了する。そして、前記外側面６３と内側面７５とが整合密着した状態で遊技盤Ｊへビス着することで、遊技盤Ｊに対するセーフ球案内部材４６の組付けセットが完了する(図３参照)。この際に、遊技盤Ｊに取着固定されたセーフ球案内部材４６により、前記遊技球案内部材４５の取着片６０および固定受片６２が押圧され、該遊技球案内部材４５が遊技部品２１に対して好適に固定セットされる。これにより、前記球流入口５３が天入球口３７の送出口３９の裏側に整合すると共に、前記球流出口５４が球通出口４０に整合する。
【００２６】
前記遊技球案内部材４５およびセーフ球案内部材４６の組付けセットが完了したら、該セーフ球案内部材４６のセット台部６６を利用して図柄表示装置Ｋ等を組付ける。このとき前記遊技球案内部材４５が、遊技部品２１の透視板３２より後方へ突出していないので、図柄表示装置Ｋの図柄表示面が透視板３２に近接する(図４参照)。
【００２７】
(遊技球の通出態様について)
このように構成された本実施例のパチンコ機Ｐでは、在来のものと同様の実施態様において、遊技操作に基づく球送り装置Ｇの球送り作動と打球発射装置Ｈにおける打球発射作動との協働により、遊技球が１球ずつ発射位置に送込まれて遊技領域１９内へ打出され、図２中の始動入賞口２０,入賞装置２４の特別入賞口２６および普通入賞口２８に入るセーフ球と、アウト口２９に回収されるアウト球とに区分されるパチンコゲームを行なうことができる。そして、前記各入賞口２０,２６,２８へ入ったセーフ球は、遊技盤Ｊの裏面に取着した前記セーフ球案内部材４６によって機構セット盤に配設されたセーフ球処理装置へ通出案内される。
【００２８】
また前記パチンコゲームにおいて、遊技部品２１の前記天入球口３７における何れかの球受け口３８に入った遊技球は、該天入球口３７の送出口３９を通って球流入口５３から遊技球案内部材４５の球送出路５２内へ通入し、遊技領域１９から一旦消えた状態となる。そして当該遊技球は、遊技球案内部材４５の上方水平部４７,側方垂直部４８および下方水平部４９を通過した後、球流出口５４および球通出口４０を介して遊技部品２１の球受け部３５へ通出され、再び遊技領域１９内へ戻ってくる。従って当該遊技球は、球受け部３５を通過して中央の球放出口３６から落下し、真下に位置する始動入賞口２０近傍へ流下して該始動入賞口２０へ入球する確率が高くなる。なお、始動入賞口２０へ遊技球が入球したことを検知することにより、前記図柄表示装置Ｋの各図柄が変動・停止制御され、これにより特別遊技条件(大当たり)が成立した際には、前記入賞装置２４の開閉板２７が回動変位して特別入賞口２６が開放する。
【００２９】
本実施例の球案内部材Ｌにおける遊技球案内部材４５では、球流入口５３の近傍に形成した案内片５５により送出口３９から上方水平部４７への遊技球の屈折案内がスムーズに行なわれると共に、側方垂直部４８には緩衝片５６が千鳥状に形成されているので遊技球の勢いが適宜減勢され、更に該側方垂直部４８の下部に形成された段部５７により下方水平部４９への通出もスムーズに行なわれる。また前記遊技球案内部材４５は、前述したように、本体部５０および蓋部材５１により球流入口５３および球流出口５４以外の部分は中空状に閉塞された球送出路５２が画成されているため、遊技球の通出案内が極めてスムーズに行なわれる。すなわち、前記遊技盤Ｊにルーター加工により開設される装着孔１７が、遊技球案内部材４５と前後に重なったとしても、遊技球の円滑な通出案内が達成される。
【００３０】
(遊技部品の交換について)
そして本実施例のパチンコ機Ｐでは、例えば前記遊技部品２１を別形態のものと交換する場合にも好適に対応し得る。すなわち、新規の遊技部品における天入球口３７の送出口３９や球通出口４０の配設位置が、従来実施の前記遊技部品２１と異なる場合には、本実施例の球案内部材Ｌにおける前記遊技球案内部材４５のみを新規の遊技部品に適応した遊技球案内部材に交換するだけでよく、前記セーフ球案内部材４６はそのまま流用することができる。但し、新規の遊技球案内部材においては、前記セーフ球案内部材４６に形成された内側面７５と同一形状の外側面を有することが前提となる。
【００３１】
なお前記実施例では、遊技球案内部材４５およびセーフ球案内部材４６の組付け態様として、遊技盤Ｊに組付けた遊技部品２１に対し、先ず遊技球案内部材４５を遊技部品２１に仮固定し、次いでセーフ球案内部材４６を該遊技球案内部材４５を利用して位置決めしながら遊技盤Ｊに組付ける場合を例示した。しかしこれとは別に、例えば先ずセーフ球案内部材４６に遊技球案内部材４５を組付け、便宜上一体となった遊技球案内部材４５とセーフ球案内部材４６を遊技部品２１および遊技盤Ｊに組付けるようにしてもよい。この取付方法においても、遊技球案内部材４５と遊技部品２１との位置決めがなされるので、内側面７５を外側面６３に整合密着させたセーフ球案内部材４６の位置決めも自動的になされる。また、遊技球案内部材４５に設けられる取着片６０や固定受片６２等の位置決め部材の配設位置や配設数は、実施例に限定されるものでなく、適宜に設定し得る。更に、セーフ球案内部材４６に設けられる係止片７６等の係止部に関しても、実施例の位置や数に限定されるものでなく、遊技球案内部材４５の仕様に応じて適宜に設定することが可能である。
【００３２】
【発明の効果】
以上説明した如く本発明では、遊技盤の裏面側に装着してパチンコ球の通出案内を図る球案内部材に関し、遊技部品に装着して該遊技部品に関する遊技球の通出案内を図る遊技球案内部材と、各入賞口に入ったセーフ球の通出案内を図るセーフ球案内部材とを夫々別部材とし、予め遊技部品に取着した遊技球案内部材にセーフ球案内部材を整合させることで、遊技盤の裏面に対する該セーフ球案内部材の位置決めを簡単かつ容易になし得るよう構成した。従って遊技盤の裏面に、前記セーフ球案内部材を位置決めするためのガイドピンや嵌合孔等を特別に配設または形成する必要がなくなるから、構成部品点数の減少および製造工数の減少によりコストダウンを図り得る利点がある。また、遊技盤のリサイクルにおいて、新型遊技部品への取替えにより遊技球の通出形態が変更された場合には、前記遊技球案内部材のみを変更すればよく、セーフ球案内部材は従来実施品をそのまま流用することができるので、これによるコストダウンを図り得る等の利点もある。
【図面の簡単な説明】
【図１】本実施例の球案内部材を実施したパチンコ機の概略正面図である。
【図２】図１に示すパチンコ機における遊技盤の正面図である。
【図３】図２に示す遊技盤の背面図であって、本実施例の球案内部材を装着した状態を示している。
【図４】遊技盤の裏面側に装着した遊技球案内部材とセーフ球案内部材との要部を示す平断面図である。
【図５】遊技球案内部材を取着した遊技部品の背面図である。
【図６】遊技球案内部材を取着した遊技部品において、天入球口へ入った遊技球を該遊技球案内部材を利用して球通出口へ通出する形態を一部破断して示す平面図である。
【図７】遊技球案内部材を取着した遊技部品において、天入球口へ入った遊技球を該遊技球案内部材を利用して球通出口へ通出する形態を一部破断して示す背面図である。
【図８】遊技盤に対する遊技部品、遊技球案内部材、セーフ球案内部材の取着形態を示す分解斜視図である。
【符号の説明】
１９  遊技領域
２０  始動入賞口
２１  遊技部品
２６  特別入賞口
２８  普通入賞口
３７  天入球口(球入球口)
４０  球通出口
４５  遊技球案内部材
４６  セーフ球案内部材
６３  外側面
７５  内側面
７６  係止片(係止部)
Ｊ  遊技盤
【図１】
0004364356.tif 000002
【図２】
0004364356.tif 000003
【図３】
0004364356.tif 000004
【図４】
0004364356.tif 000005
【図５】
0004364356.tif 000006
【図６】
0004364356.tif 000007
【図７】
0004364356.tif 000008
【図８】
0004364356.tif 000009